(57)【要約】  ハンドルと、１つ以上の刃を受け入れる寸法に作られたハウジングと、を有するウェットシェービングシステムである。弾力的な皮膚接触要素は、ハウジングをハンドルに旋回式に接合する。弾力的な皮膚接触要素は、幅と、底面と、複数の突出部を有する底面と対向する上面と、を有し、ハウジングが複数の突出部の周りを旋回する。
2012505730.tif 000002
【特許請求の範囲】
【請求項１】
シェービングシステム（１０）であって、
１つ以上の刃（１１）を受け入れる寸法のハウジング（１４）と、
ハンドル（１２）と、
前記ハウジング（１４）を前記ハンドル（１２）に旋回可能に接合する弾力的な皮膚接触要素（２４）と、
を備え、
前記弾力的な皮膚接触要素（２４）が、底面（６４）と、複数の突出部（２６）を有する前記底面と対向する上面（５０）と、を有し、前記ハウジング（１４）が前記複数の突出部（２６）の周りを旋回する、シェービングシステム。
【請求項２】
前記弾力的な皮膚接触要素（２４）が、前記ハウジング（１４）から湾曲して下がって離れる概ね凸形状を有することを特徴とする、請求項１に記載のシェービングシステム（１０）。
【請求項３】
前記底面（６４）が、前記弾力的な皮膚接触要素（２４）の幅の３０％乃至１００％延在していて前記ハンドル（１２）に対するハウジング（１４）の旋回を促進する凹部（７０）を画定する、請求項１または２に記載のシェービングシステム（１０）。
【請求項４】
前記ハンドル（１２）が前記ハウジング（１４）から離間している、請求項１乃至３のいずれか一項に記載のシェービングシステム（１０）。
【請求項５】
前記弾力的な皮膚接触要素（２４）の上面（５０）が概ね弧状である、請求項１乃至４のいずれか一項に記載のシェービングシステム（１０）。
【請求項６】
突出部（２６）が、前記上面（５０）に対して横方向に延在していて上向きに突出している、請求項５に記載のシェービングシステム（１０）。
【請求項７】
前記ハンドル（１２）に対する前記ハウジング（１４）の旋回が前記突出部の撓みを引き起こす、請求項１乃至６のいずれか一項に記載のシェービングシステム（１０）。
【請求項８】
前記ハンドル（１２）が、前記弾力的な皮膚接触要素（２４）の幅の４０％乃至１００％で隣接する拡大された近位端部（２０）を有する、請求項１乃至７のいずれか一項に記載のシェービングシステム（１０）。
【請求項９】
前記弾力的な皮膚接触要素（２４）が前記ハウジング（１４）の第１の外側端部（３４）及び第２の外側端部（３６）と接合される、請求項１乃至８のいずれか一項に記載のシェービングシステム（１０）。
【請求項１０】
前記第１及び第２の外側端部（３４、３６）の少なくとも１つが、前記弾力的な皮膚接触要素（２４）に接合される１つ以上の取付け用ツメ（４６、４８）を有する、請求項１乃至９のいずれか一項に記載のシェービングシステム（１０）。
【請求項１１】
前記ハウジング（１４）が、インターロック部材（４４）と共に正面（３５）を有し、前記インターロック部材（４４）が、前記弾力的な皮膚接触要素（２４）と共に機械的なインターロックを形成する、請求項１乃至１０のいずれか一項に記載のシェービングシステム（１０）。
【請求項１２】
前記ハウジング（１４）に装着された３つの刃（１１）を更に備える、請求項１乃至１１のいずれか一項に記載のシェービングシステム（１０）。
【請求項１３】
前記ハウジング（１４）が、前記弾力的な皮膚接触要素（２４）と化学結合されている、請求項１乃至１２のいずれか一項に記載のシェービングシステム（１０）。
【請求項１４】
前記ハウジング（１４）が、中立の旋回位置と屈曲した旋回位置との間で可動である、請求項１乃至１３のいずれか一項に記載のシェービングシステム（１０）。
【請求項１５】
前記ハンドル（１２）が、第１の軸に沿って延在する把持部と、前記第１の軸から１０度乃至５０度オフセットした第２の軸に沿って延在する拡大された近位端部（２０）と、を有する、請求項１乃至１４のいずれか一項に記載のシェービングシステム（１０）。
【発明の詳細な説明】
【技術分野】
【０００１】
本発明は、ウェットシェービング用レーザー、より具体的には、ハンドルと、皮膚の伸張及びハンドルに対するハウジングの旋回を促進するための弾力的な皮膚接触要素を有するハウジングと、を有するウェットシェービング用レーザー、並びにそれを作製する方法に関する。
【背景技術】
【０００２】
概して、ウェットシェービング式の剃毛かみそりは、切断用刃先を有する少なくとも１つの刃を有するカートリッジ又は刃ユニットを含んでおり、剃毛される皮膚の表面をわたって刃先を移動するために、カートリッジを取付けたハンドルが用いられる。カートリッジは、刃が充分に鋭利でなくなったときにカートリッジを新しいものに交換することができるようにハンドルに着脱可能に装着されていてもよく、又は、刃が鈍くなったときかみそり全体を廃棄するように（すなわち使い捨てかみそりとして）、ハンドルに恒久的に付着されていてもよい。カートリッジとハンドルとの接続は、ハンドルに対するカートリッジの旋回装着をもたらし、その結果、カートリッジの角度は、剃られている表面の形状に追従するように調整される。そのようなシステムでは、カートリッジは、カートリッジハウジング上のカム表面に当てられてハンドル上に担持された、ばねで付勢されるプランジャー（カムフォロワー）の作用によって、静止位置の方へ向かって付勢され得る。かみそりのカートリッジは、通常、刃の正面にある皮膚と接触するガードと、剃毛中に刃の背後にある皮膚と接触するキャップとを含む。キャップ及びガードは、剃毛中の皮膚に対する刃の配向及び位置を決定するパラメータであるいわゆる「剃毛ジオメトリ」の確立を助け、このパラメータは、かみそりの剃毛性能及び有効性に強く影響する。ガードは概して剛性であってよく、例えば、刃のための支持を提供するフレーム又はプラットフォーム構造とともに一体化形成される。
【０００３】
近年では、数多くの刃先を有する剃毛かみそりが文献で提案され、かつ商品化されてきており、２００５年２月２４日付で発行された米国公開特許第２００５／００３９３３７  Ａ１号は、Ｔｈｅ  Ｇｉｌｌｅｔｔｅ  Ｃｏｍｐａｎｙによる５枚刃Ｆｕｓｉｏｎ（商標）かみそりとして国際的に商品化されている設計型式を概して記述している。一般的に、追加的な刃は、より近接した剃毛を提供するが、皮膚の表面に対する引き摺りを増し、使用者に不快感を与える可能性がある。より多くの数の刃によって引き起こされる引き摺りの増加を補正するために、例えば、剃毛助剤を１つ以上の押出し成形された又は成形されたかみそりの高分子構成要素に組み込むことによって、剃毛助剤（すなわち、潤滑剤、髭柔軟剤、かみそりクレンザー、薬用剤、化粧品、又はこれらの組み合わせ）がかみそりに組み込まれてきた。摩擦及び引き摺りを減少するために、そのような剃毛助剤は、レーザーカートリッジの刃の背後のキャップ上に及び／又は刃の正面のガード構造物上に装着され得る。
【先行技術文献】
【特許文献】
【０００４】
【特許文献１】米国公開特許第２００５／００３９３３７  Ａ１号
【発明の概要】
【発明が解決しようとする課題】
【０００５】
刃の正面の皮膚の伸張を改善するために、様々なガード構造物が開発されてきた。また、これらのガード構造物のサイズは、皮膚のより良い伸張を提供するため、及び一般に望まれる潤滑の増加を補うために、増加されてきた。追加的な刃、より大きいガード構造物、及び刃の正面及び／又は背後の潤滑ストリップの追加は、カートリッジの製造費及び全体的なサイズ、特にカートリッジの設置面積（剃毛中に皮膚と接触するカートリッジの表面積）を、増してきた。顔のより小さいエリア、例えば鼻及び顎の周囲のようなエリアの周囲でカートリッジを操作するために、概して、より小さい設置面積が消費者に好まれる。更に、一部の消費者は、きちんとした形状の口髭又は顎鬚の見た目を好む。カートリッジが大きくなると、剃毛又はトリミングをしているエリアの使用者の視野がカートリッジよって塞がれるので、顔毛を正確に形作ることが困難になる。
【課題を解決するための手段】
【０００６】
一態様において、本発明は、概して、ハンドルと、１つ以上の刃を受け入れる寸法のハウジングと、を特徴とする。弾力的な皮膚接触要素は、ハウジングをハンドルに旋回式に接合する。弾力的な皮膚接触要素は、幅と、底面と、複数の突出部を有する底面と対向する上面と、を有し、ハウジングが複数の突出部の周りを旋回する。所望により、特定の実施形態は、弾力的な皮膚接触要素の幅の約３０％〜１００％に延在する凹部を画定する底面を必要に応じて含むことができ、この凹部は、ハンドルに対するハウジングの旋回を促進する。
【０００７】
別の態様では、本発明は、概して、１つ以上の刃を受け入れる寸法のハウジングを有するウェットシェービング用アセンブリと、ハンドルと、を有し、ハンドルは、第１の軸に沿って延在する把持部と、第１の軸から約１０度〜約４０度オフセットした第２の軸に沿って延在する近位端部と、を有する。弾力的な皮膚接触要素は、ハンドルの近位端部にハウジングを旋回式に接合し、ハウジングは第２の軸とオフセットした第３の軸に沿って延在する。第３の軸は中立の旋回位置及び屈曲した旋回位置を有する。所望により、特定の実施形態は、中立の旋回位置において約８０度〜約１６０度、第２の軸からオフセットした第３の軸を必要に応じて含むことができる。
【０００８】
更に別の態様では、本発明は、概して、ハンドルと、１つ以上の刃を受け入れる寸法のハウジングと、を有するウェットシェービング用アセンブリを特徴とする。ハウジングは第１の外側端部と、第２の外側端部と、第１の外側端部と第２の外側端部との間に位置づけられた１つ以上のインターロック部材を有する正面と、を有する。弾力的な皮膚接触要素は、インターロック部材に接合された一端と、ハンドルに接合されたもう１つの端と、を有し、ハウジングに対するハンドルの旋回を促進する。
【図面の簡単な説明】
【０００９】
本明細書は、本発明と見なされる主題を特定して指摘し明確に請求する特許請求の範囲をもって結論とするが、本発明は、添付の図面と関連させた次の説明から更によく理解されると考えられる。
【図１】シェービングシステムの１つの可能な実施形態の斜視図。
【図２】図１のシェービングシステムの部分側面図。
【図３Ａ】中立の旋回位置にある図１のシェービングシステムの側面図。
【図３Ｂ】第１の屈曲した旋回位置にある図１のシェービングシステムの側面図。
【図３Ｃ】第２の屈曲した旋回位置にある図１のシェービングシステムの側面図。
【図４】図１のシェービングシステムの部分側面図。
【図５】図１のシェービングシステムに組み込まれ得るハウジングの１つの可能な実施形態の斜視図。
【図６】図１のシェービングシステムの拡大部分斜視図。
【図７Ａ】中立の旋回位置にある図１のシェービングシステムの拡大断面図。
【図７Ｂ】第１の屈曲した旋回位置にある図１のシェービングシステムの拡大断面図。
【図８】シェービングシステムの別の可能な実施形態の部分斜視図。
【図９Ａ】図１のシェービングシステムの成形に使用される第１のキャビティの１つの可能な実施形態の上面図。
【図９Ｂ】図９Ａの第１のキャビティで成形された図５のハウジングの上面図。
【図９Ｃ】第２のキャビティで成形されたハンドル及び第１のキャビティで成形されたハウジングの上面図。
【図９Ｄ】図１のシェービングシステムを形成するためにハウジング及びハンドルをエラストマー部材で成形するための第３のキャビティの上面図。
【発明を実施するための形態】
【００１０】
図１を参照すると、ハンドル１２と、カートリッジ又はハウジング１４と、エラストマー部材１６と、を有するシェービングシステム１０の１つの可能な実施形態が示されている。ハウジング１４は、皮膚の表面の毛を剃毛又はトリミングするための１つ以上の刃を運ぶことができる。ハウジング１４は、ハンドル１２に対して固定されること又は旋回移動可能であることができる。特定の実施形態では、ハンドル１２、ハウジング１４、及びエラストマー部材１６は、シェービングシステム１０の剃毛性能に消費者が満足しなくなったときに交換可能な一体式ユニットを形成することができる。あるいは、刃１１及び／又はハウジング１４は、刃の鋭利さが不満なレベルにまで劣化したときに刃１１及び／又はハウジング１４の交換を可能にするために、ハンドル１２に取り外し可能に装着されてもよい。ハンドル１２は、ハンドル１２をハウジング１４から概して離れる方向へ導くことによって全ての剃毛エリア、特に狭い剃毛エリア（すなわち、鼻の下及び顎の周囲）への良好なアクセスをハウジング１４にもたらすように設計され得る。ハンドル１２は、拡大された近位端部２０を有する本体１８を含むことができる。エラストマー部材１６は、ハンドル１２の本体１８に成形された把持部２２を有することができる。把持部２２は、特に濡れた環境での使用者によるハンドル１２の把持を改善するために複数のリブ又は凹部を含むことができる。下記に更に詳しく説明するように、ハウジング１４をハンドル１２と接合又は相互接続するため、及びハンドル１２に対するハウジング１４の旋回を促進するために、エラストマー部材１６をハンドル１２の拡大された近位端部２０に成形することができる。
【００１１】
剃毛中に皮膚を伸張することは、例えば、刃１１間に皮膚が張り出しすぎることを最低限にすることによって、シェービングシステム１０の性能を強化すると考えられる。エラストマー部材１６は、ハンドル１２とハウジング１４とを相互接続又は接合する弾力的な皮膚接触要素２４を含むことができる。弾力的な皮膚接触要素２４を刃１１の正面に位置づけて、剃毛中の皮膚の伸張を助けることができる。ハウジング１４はまた、剃毛中に刃１１の背後の皮膚と接触するキャップ３８も含むことができる。弾力的な皮膚接触要素２４は多機能であることができ、例えば、ハンドル１２をハウジング１４に直接接続し、ハウジング１４の旋回を促進し、及び剃毛中の皮膚の伸張の強化を提供すること、ができる。
【００１２】
弾力的な皮膚接触要素２４は、カムフォロワーを使用するような、多部品から成る機械的な旋回システムを伴わずに、ハンドル１２に対するハウジング１４の好ましい動きを促進する。この構成は、必要とされる部品の数及びそれに伴う製造工程を削減することができる。ハウジング１４の好ましい動きを促進する弾力的な皮膚接触要素２４の別の利点は、疲労又は破壊を伴わずにシェービングシステム１０を何度も使用できることである。リビングヒンジ（living hinge）設計を利用するシステムは、典型的には、エラストマーと比較して劣る伸び特性を有するポリプロピレンのような概して剛性のポリマーから作製される。弾力的な皮膚接触要素２４はまた、他の設計と比較して、旋回運動の制限を少なくすることを可能にするので、使用者が望むようにシェービングシステムの旋回運動を制御することを可能にする。弾力的な皮膚接触要素２４はまた、多部品から成る機械的な旋回システムに伴う機械的損失をなくすことによって、ハウジング１４のより円滑な旋回運動を提供することができる。
【００１３】
図２を参照すると、シェービングシステム１０の部分側面図が示されており、明確にするために、ハウジング１４及び弾力的な皮膚接触要素２４は省かれている。ハンドル１２の本体１８は長手方向軸Ａ１を有することができるが、本体１８と長手方向軸Ａ１が一直線である必要はないと理解されたい。特定の実施形態では、ハンドル１２の本体１８、そして、その長手方向軸Ａ１は、緩やかな又は微妙な曲線を有することができる。拡大された近位端部２０は、長手方向軸Ａ１から一定の角度、角度α１オフセットした長手方向軸Ａ２を有することができる。特定の実施形態では、ハンドル１２の拡大された近位端部２０、そして、長手方向軸Ａ２もまた、緩やかな又は微妙な曲線を有することができる。角度α１は、剃毛されている皮膚のエリアからハンドル１２を傾けることができ、使用者にとってより快適な剃毛位置を提供することができる。角度α１は、シェービングシステム１０の用途に依存して変化する場合があり、例えば、角度α１の最適な範囲は、顔の剃毛と脚の剃毛では異なる場合がある。例えば角度α１は約１０度、１５度、又は２０度から約３０度、４０度、又は５０度である場合がある。
【００１４】
図３Ａ及び３Ｂを参照すると、シェービングシステム１０の側面図は、それぞれ、中立の旋回位置にあるハウジング１４及び屈曲した旋回位置にあるハウジング１４を示す。ハウジング１４は、ハンドル１２の拡大された近位端部２０の長手方向軸Ａ２から角度α２オフセットした長手方向軸Ａ３を有することができる。長手方向軸Ａ３はまた、剃毛平面（例えば、剃毛中に皮膚の表面と接触する平面）を表す。角度α２は、シェービングシステム１０の用途に依存して変化する場合があり、例えば、角度α２の最適範囲は、顔の剃毛と脚の剃毛では異なる場合がある。角度α２は、約３５度、４５度、又は５５度から約６５度、７５度、又は８５度である場合がある。使用者は剃毛中にハンドル１２をハウジング１４に対して旋回して、弾力的な皮膚接触要素２４を撓めること又は曲げることによって、角度α２を増すことができる。
【００１５】
ハンドル１２に対するハウジング１４の旋回は、ハウジングが皮膚の形状を追従すること及びより狭いエリアに達することを可能にする。図３Ｂは、長手方向軸Ａ３が旋回して、ハンドル１２の拡大された近位端部２０の長手方向軸Ａ２から更に離れ、結果的にハウジング１４の屈曲した旋回位置になっているのを示している。ハウジング１４の屈曲した旋回位置は、約８０度、９０度、又は１００度から約１３０度、１４０度、又は１６０度の角度α３にかけて長手方向軸Ａ３が長手方向軸Ａ２からオフセットする結果をもたらすことができる。角度α３は、例えば、ハウジング１４の動きの範囲をもたらすために、角度α２より大きい場合があり、これら２つの角度の差が大きいほど、ハウジング１４の運動範囲は大きい。特定の実施形態では、角度α３は角度α２より約３０度、４０度、又は１１度から約６０度、９０度、又は１２５度、大きい場合がある。
【００１６】
拡大された近位端部２０は、ハウジング１４の底面２８と接触する迫台部材２５のような停止表面を有することによって、ハウジングの更なる旋回を防ぐことができる。迫台部材２５は、ハウジング１４が過度に旋回すること、及び結果的に弾力的な皮膚接触要素２４の破断又は可撓性の損失をもたらし得る、弾力的な皮膚接触要素２４への過度の応力の付加を、防ぐことができる。迫台部材２５はまた、既定の旋回範囲を提供して、剃毛中のハウジング１４の皮膚との適正な接触の維持を確保することができる。ハウジング１４、ハンドル１２、及び弾力的な皮膚接触要素２４は、角度α２を最大限にする又は最小限にするように成形され得る。例えば、角度α２を最小限にして、迫台部材２５のような停止表面と接触する前にハウジング１４が旋回する範囲を増すことができる。
【００１７】
図３Ｃを参照すると、シェービングシステム１０の側面図は、第２の屈曲した旋回位置で示されている。ハウジング１４は中立の旋回位置（図３Ａに図示）から第１の方向に旋回して、図３Ｂに示すような屈曲した位置になることができ、又、ハウジング１４は反対方向に旋回して、図３Ｃに示すような第２の屈曲した位置になることもできる。使用者は剃毛中にハンドル１２を旋回して皮膚（例えば顔、首、又は脚）の形状に追従し、より狭いエリアに到達することができ、又は使用者は、ハンドル１２を反対方向に旋回してハウジング１４上の分離したトリマー用刃（図示せず）を利用することができる。第２の屈曲した位置では、長手方向軸Ａ３は長手方向軸Ａ２から角度α４（約０度、３度、又は５度から約７度、１０度、又は１５度）オフセットすることができる。特定の実施形態では、長手方向軸Ａ３は、長手方向軸Ａ２と平行又は直列にさえなることができる。代替実施形態は、ハウジング１４に望まれる動きに依存して角度α２の代わりに角度α４を有する中立の旋回位置において成形されたシェービングシステム１０を含むことができる。
【００１８】
図４を参照すると、シェービングシステム１０のアセンブリの斜視図が示されている。シェービングシステムは、ハウジング１４及びハンドル１２を成形して一体化ユニットを形成することができるエラストマー部材１６を含む。エラストマー部材１６の弾力的な皮膚接触要素２４の一端をハウジング１４の正面３５に成形することができ、弾力的な皮膚接触要素２４のもう１つの端をハンドル１２の拡大された近位端部２０に成形することができる。エラストマー部材１６の把持部２２は、ハンドル１２の本体１８に成形することができる。ハンドル１２の拡大された近位端部２０は、拡大された近位端部２０内に延び、かつハンドル１２の本体１８に沿って長手方向に延びるチャネル６０を有する、概して「Ｔ」形の形状を有することができる。エラストマー部材１６は、弾力的な皮膚接触要素２４と把持部２２とを接続する首部６２を有することができ、それによって、弾力的な皮膚接触要素２４と把持部２２とは、単一の構成要素として成形され得る。首部６２は、エラストマー部材１６をハンドル１２に接合することを可能にするために、ハンドル１２のチャネル６０内に成形され得る。
【００１９】
弾力的な皮膚接触要素２４の底面６４は、ハウジング１４の正面３５と概して平行な隙間又は凹部７０を画定することができる。凹部７０は、弾力的な皮膚接触要素２４の底面６４の約３０％、４０％、又は１１％から約６０％、７５％、又は１００％に沿って延びることができる。凹部７０は、可撓性の高いエリアを提供することによって、ハンドル１２に対するハウジング１４の旋回運動を画定及び制御することができる。凹部７０は、弾力的な皮膚接触要素２４の第１のフレーム部材６６と第２のフレーム部材６８との間に位置づけられ得る。第１及び第２のフレーム部材６６及び６８は、所定の位置（すなわち中立の旋回位置）にて取付けられたハウジング１４を付勢するための戻り力を提供することができる。フレーム部材６６及び６８の幅を増して、又は凹部７０の幅を減らして、より大きい戻り力を提供することができる。
【００２０】
図５を参照すると、ハウジング１４の１つの可能な実施形態の斜視図が図示されている。ハウジング１４は、遠位端部３０と、近位端部３２と、第１の外側端部３４と、第２の外側端部３６と、を有することができる。ハウジング１４は、剃毛中に刃１１の背後の皮膚と接触するキャップ３８を含むことができる。キャップ３８は、ハウジング１４の近位端部３２に配置され得、潤滑ストリップ４０を含むことができる。潤滑ストリップ４０は、ハウジング１４と同じ材料で成形又は押出し成形されてもよく、あるいは、剃毛中の快適さを増すために、水滲出性のシェービング助剤組成物を有するより潤滑な材料で成形又は押出し成形されてもよい。
【００２１】
ハウジング１４は、１つ以上の刃１１ａ、１１ｂ、及び１１ｃを受け入れる寸法に作ることができる。刃１１ａ、１１ｂ、及び１１ｃは、ハウジング１４のキャップ３８の前に装着することができる。３枚の刃１１ａ、１１ｂ、及び１１ｃが示されているが、多少の刃をハウジング１４内に配置することができると理解される。刃１１ａ、１１ｂ、及び１１ｃは、ハウジング１４内に成形することが可能だが、クリップ、ワイヤラッピング、低温成形、ホットステーキング、及び接着剤を含み、これに制限されず、当業者に既知の他のアセンブリ方法を使用して、１つ以上の刃１１ａ、１１ｂ、及び１１ｃをハウジング１４に固定することも可能である。あるいは、刃１１ａ、１１ｂ、及び１１ｃを、刃１１ａ、１１ｂ、及び１１ｃが鈍化した際に取り外し及び交換が可能な刃ユニットとしてハウジング１４内に挿入することも可能である。皮膚接触バー４２は、ハウジング１４の遠位端３０に、第１の刃１１ａの前に配置することができる。特定の実施形態では、皮膚接触バー４２は、剃毛中のハウジング１４の滑走特性を改善するように潤滑な表面を有することができる。特定の実施形態では、皮膚接触バー４２は、先に記述した潤滑ストリップ４０と同様の潤滑ストリップもまた含むことができる。
【００２２】
インターロック部材４４は、ハウジング１４の遠位端部３０の正面３５に沿って延在することができる。インターロック部材４４は、弾力的な皮膚接触要素２４（図示せず）をハウジング１４に適正に取付けることを可能にするために概して剛性であることができる。弾力的な皮膚接触要素２４（図示せず）は、インターロック部材４４及び／又はハウジング１４に化学的及び／又は機械的に結合することができる。例えば、ポリプロピレンは、スチレンエチレンブタジエンスチレン（ＳＥＢＳ）ＴＰＥ（例えばＫｒａｔｏｎ）との強い化学結合をもたらす。インターロック部材４４及び／又はハウジング１４は、結合表面積を増すことによって又は機械的なインターロックを作り出すことによって結合を強化するために、凹部、突出部、チャネル、又は開口部のような特徴を含むことができる。特定の実施形態では、インターロック部材４４は、正面３５から延在していて離れる方向に突出している底壁５２と、底壁５２に対して概して横方向の前壁５４と、を有することができる。前壁５４は、ガードバー４２の方へ向かって延在していて上向きに突出していて、剃毛中に弾力的な皮膚接触要素２４に付加される下向きの力に抵抗することが可能である。前壁５４は、前壁５４と正面３５との間に隙間５６が提供されるように、正面３５から離間していることが可能である。インターロック部材４４は、底壁５２及び／又は前壁５４を通って延在する１つ以上のチャネル５８を有することができる。インターロック部材４４の隙間５６及びチャネル５８は、成形中に弾力的な皮膚接触要素２４（図示せず）の材料がこれらの特徴の内部及び周囲に流れ込むことを促進することができ、いったん固化された後は、ハウジング１４と弾力的な皮膚接触要素２４との間に機械的なインターロックを形成することができる。インターロック部材４４に加えて、ハウジング１４の遠位端部３０は、弾力的な皮膚接触要素２４を固定するための追加的な支持を提供するために、ハウジング１４の外側端部３４及び３６のそれぞれに配置された１つ以上の取付け用ツメ４６及び４８を有することができる。取付け用ツメ４６及び４８は、機械的なインターロック又は弾力的な皮膚接触要素２４の結合のためのより多くの表面積を提供することによって、弾力的な皮膚接触要素２４（図示せず）をハウジング１４に固定するのを更に補助することができる。インターロック部材４４及び取付け用ツメ４６及び４８は、ハウジング１４と弾力的な皮膚接触要素２４が剃毛中に分離しないように又は引き裂かれないように、ハウジング１４を弾力的な皮膚接触要素２４に締結することを促進することができる。
【００２３】
図６を参照すると、シェービングシステム１０の部分斜視図が示されている。弾力的な皮膚接触要素２４は、ハウジング１４の最適な動き（すなわち刃１１の切断平面Ｐ１）を提供するように構成される。概して、弾力的な皮膚接触要素２４は、が剃毛中に刃１１ａ、１１ｂ、及び１１ｃの切断平面Ｐ１に可能な限り近づくよう、ハウジング１４の旋回を最大限にするように設計される。結果的に、シェービングシステム１０は使用者の皮膚をわたって移動され、刃１１ａ、１１ｂ、及び１１ｃは例えば皮膚から転がり落ちることが防がれ、使用者の皮膚と概して連続的に接触した状態に維持されて、連続的な皮膚の伸張及びより有効な剃毛を提供する。
【００２４】
弾力的な皮膚接触要素２４は、ハウジング１４を湾曲してハウジング１４から下って離れる概して凸輪郭を有することができ、特に顔及び身体（例えば首及び脇）の凹凸のある領域での皮膚の伸張を補助することができる。皮膚の弾力的な性質は、弾力的な皮膚接触要素２４が、湾曲した皮膚の輪郭とぴったり一致すること、すなわち取り巻くことを、可能にする。シェービングシステム１０が使用者の皮膚の表面をわたって移動するにつれて、皮膚は、弾力的な皮膚接触要素２４の並進運動によって伸張される。弾力的な皮膚接触要素２４は、シェービングシステム１０が皮膚をわたり続けるにつれて、ハウジング１４に対するハンドル１２の旋回を促進する。ハンドル１２の旋回は、弾力的な皮膚接触要素２４の撓み及び曲がりを引き起こすことができ、皮膚の更なる伸張をもたらすことができる。ハンドル１２の拡大された近位端部２０は、弾力的な皮膚接触要素２４の実質的な幅に沿って延在することができる。弾力的な皮膚接触要素２４及び拡大された近位端部２０は、より制御された旋回運動を促進する（すなわちハンドル１２に対するハウジング１４のねじれ又は回転を減らす）ために、概して同一の幅を有することができる。拡大された近位端部２０は、約２０ｍｍ、２５ｍｍ、又は３０ｍｍから約１１ｍｍ、６０ｍｍ、又は７０ｍｍの幅ｗ１を有することができる。特定の実施形態では、幅ｗ１は、成形中の弾力的な皮膚接触要素２４の表面積を最大限にするために、弾力的な皮膚接触要素２４の全幅の約６０％、７０％、又は８０％から約８５％、９０％、又は１００％であり得る。
【００２５】
１つ以上の突出部２６は、皮膚の伸張を強化するために、弾力的な皮膚接触要素２４の概して弧状の（すなわち凸の）上面５０に沿って配置され得る。突出部２６は、弾力的な皮膚接触要素２４の第２の幅ｗ２に沿って刃１１ａ、１１ｂ、及び１１ｃと、概して平行に延在することができる。第２の幅ｗ２は、皮膚の伸張を最大限にするために、弾力的な皮膚接触要素２４の全幅の約６０％、７０％、又は８０％から約８５％、９０％、又は１００％であり得る。特定の実施形態では、ｗ２は、約２０ｍｍ、２５ｍｍ、又は３０ｍｍから約４０ｍｍ、１１ｍｍ、又は６０ｍｍであり得る。突出部２６はまた、弾力的な皮膚接触要素２４の長さＬ１に沿って、刃に対して概して垂直に、互いに離間していることが可能である。特定の実施形態では、Ｌ１は、皮膚の伸張を最大限にするために、弾力的な皮膚接触要素２４の全長の６０％、７０％、又は８０％から約８５％、９０％、又は１００％であり得る。特定の実施形態では、Ｌ１は、約３ｍｍ、５ｍｍ、又は７ｍｍから約８ｍｍ、１０ｍｍ、又は１２ｍｍであり得る。突出部２６は、異なるサイズ、形、及びジオメトリを有することができる。例えば、エラストマーの突出部２６は、離間している又は相互接続された結節又はフィンセグメントの形態であってよい。突出部２６は、互いに平行に配向されるように上向きに延在することができる。エラストマーの突出部はまた、例えばジグザグ模様、山形模様、杉綾模様、又はチェス盤模様といった異なるパターンを有すること、又は刃に対して異なる角度で配向されることができる。あるいは、突出部２６は、弾力的な皮膚接触要素２４の１つ以上の凹部又はへこみを囲む弾力的な皮膚接触要素２４のエリアとして画定され得る。
【００２６】
図７Ａを参照すると、シェービングシステム１０の断面側面図が中立の位置で示されており、ハウジング１４及び弾力的な皮膚接触要素２４は、弾力的な皮膚接触要素２４及びキャップ３８（潤滑ストリップ４０とともに示されている）に正接の剃毛平面Ｐ１に沿って位置づけられる。剃毛平面Ｐ１は、剃毛中の皮膚表面と接触しており、弾力的な皮膚接触要素２４が皮膚を刃１１の前で伸張すること、及び潤滑ストリップ４０が刃１１ａ、１１ｂ、及び１１ｃの後に剃毛助剤を適用することを可能にする。特定の実施形態では、シェービングシステム１０は、剃毛中に弾力的な皮膚接触要素２４がハウジング１４を中立の位置に向けて付勢するように、中立の旋回位置で成形され得る。ハンドル１２の拡大された近位端部２０は、ハンドル１２に対するハウジング１４の円滑な旋回運動を促進するためにハウジング１４から離間して（すなわち直接接触せずに）いることが可能である。凹部７０を画定する弾力的な皮膚接触要素２４の底面６４は、ハンドル１２に対するハウジング１４の旋回ゾーンを画定することができる。旋回ゾーンは、第１の刃１１ａの前及び平面Ｐ１より下にあることができる。凹部７０は、シェービングシステムに望まれる旋回運動に依存して、底面６４に沿った様々な場所に位置づけられ得る。例えば、凹部７０をハウジング１４により近く位置づけることは（図のように）、シェービングシステム１０が刃１１ａ、１１ｂ、及び１１ｃのより近くに旋回することを促進する。
【００２７】
凹部７０、及びハウジング１４と拡大された近位端部２０との間の間隔は、ウェットシェービング装置１０の可撓性及び制御の均衡をもたらすように選択され得る。例えば、凹部７０が狭すぎる場合、又は拡大された近位端部２０とハウジングとの間隔が近すぎる場合、弾力的な皮膚接触要素２４は、ハンドル１２に対してハウジング１４を十分に旋回させるための十分な可撓性を有さない場合がある。シェービングシステム１０が円滑かつ可撓性の旋回をもたらさない場合、使用者は、ハンドル１２に対するハウジング１４の旋回を効果的にするためにハウジング１４に付加する力を増加する必要がある場合がある。ハウジング１４は、切り傷をできるだけ少なくするために、皮膚に対する最小限の下方への圧力とともに皮膚の表面にわたって滑走すべきである。弾力的な皮膚接触要素２４の可撓性を増して、ハウジング１４を旋回するために必要な力を低減することができる。下記に更に詳しく説明するように、弾力的な皮膚接触要素２４は低いショアＡ硬度及び／又は高い伸長率を有する材料を含むことができる。更に、凹部７０の長さ及び幅を増すことによっても、ハウジング１４を旋回するために必要な力を低減することができる。弾力的な皮膚接触要素２４は、使用者に適正な制御を提供するために十分な硬さを有するべきである。特定の実施形態では、凹部７０は、十分な可撓性及び制御を提供するために約０．５ｍｍ、１ｍｍ、又は２ｍｍから約３ｍｍ、４ｍｍ、又は５ｍｍの幅ｗ３を有することができる。弾力的な皮膚接触要素２４の厚さｔ１は、底面６４から、最も近くの突出部２６の基底まで延びることができる。特定の実施形態では、ｔ１は、約１ｍｍ、２ｍｍ、又は３ｍｍから約４ｍｍ、５ｍｍ、又は６ｍｍであり得る。隙間７０での厚さｔ１は、約２０％、４０％、又は５０％から約７０％、８０％、又は９０％減少され得る。
【００２８】
概して、より多くの表面積を有する皮膚伸張部材を有するカートリッジ又は刃ハウジングは、より多くの皮膚伸張をもたらし、したがって、より近接したより快適な剃毛をもたらす。より大きい皮膚伸張部材はカートリッジの全体的なサイズを増し、使用者がより狭いエリア内及びその周囲の剃毛をすることを困難にする。皮膚の伸張を最適化するために、より大きい皮膚伸張要素が提供された剃毛かみそりは、鼻の下のような比較的小さい剃毛エリアの剃毛にはあまり有効でない場合がある。逆に、より少ない表面積を有する皮膚伸張部材又はガードを有するカートリッジは、比較的狭い剃毛エリアへのアクセスを使用者に提供し得るが、皮膚を十分に伸張しない場合がある。剃毛かみそりは、典型的には、より狭い剃毛エリアに到達するために、より小さい皮膚伸張部材を有する剃毛ユニットと、より優れた皮膚伸張特性を提供する、より大きい皮膚伸張部材を有するものとの妥協を図らなくてはならない。理論によって制限されることなく、シェービングシステム１０の弾力的な皮膚接触要素２４は、皮膚の表面と接触する弾力的な皮膚接触要素２４の有効長（すなわち刃１１ａ、１１ｂ、及び１１ｃに対して横の方向）を使用者が最大限にする又は最小限にすることを可能にする複数の位置を有することができると考えられる。使用者は、必要に応じてシェービングシステム１０を操作して、狭いエリアで剃毛すること、及びより開かれたエリアでの近接した快適な剃毛のための優れた皮膚伸張を提供することができる。
【００２９】
弾力的な皮膚接触要素２４は、皮膚の表面と接触しているシェービングシステム１０の有効長を使用者が最小限にすることを可能にし、それによって、より小さい剃毛エリアでシェービングシステム１０をより有効に使用することを可能にする。弾力的な皮膚接触要素２４の湾曲した形状はまた、ハウジング１４をより小さい剃毛エリアに位置づけることを可能にする。弾力的な皮膚接触要素２４はまた、ハウジング１４を中立の旋回位置に付勢して戻す戻り力を提供することができ、より良い皮膚伸張のためのより大きい有効長を提供することができる。弾力的な皮膚接触要素２４は、剃毛平面Ｐ１に沿った第１の位置（例えば中立の旋回位置）を有することができ、弾力的な皮膚接触要素２４の一部分だけが皮膚のその表面と接触する。中立の位置で（すなわち使用者がハンドル１２に旋回力を付加する前に）皮膚の表面と接触している弾力的な皮膚接触要素２４のその部分は、長さＬ２によって表すことができる。中立の旋回位置では、長さＬ２はハウジング１４の正面３５から、平面Ｐ１と接触している突出部２６の１つまで延びることができる。特定の実施形態では、Ｌ２は、約１ｍｍ、２ｍｍ、又は３ｍｍから約５ｍｍ、６ｍｍ、又は７ｍｍであり得る。
【００３０】
使用者は、ハンドル１２をハウジング１４の方へ、皮膚の表面から離れる方へ旋回することによってＬ２を減少して、凹部７０（図７Ａで、途切れた矢印Ｄ１が示す）の幅ｗ３を減少することができる。図７Ｂに図示されるように、ハンドル１２の旋回は、平面Ｐ１に沿った弾力的な皮膚接触要素２４の屈曲した旋回位置をもたらす。屈曲した旋回位置の結果として、底面６４は畳まれて凹部７０に被さり、ハウジング１４と接触することができる。屈曲した旋回位置の結果として、弾力的な皮膚接触要素２４は、平面Ｐ１に沿って皮膚の表面と接触する長さＬ３を有することができる。特定の実施形態では、長さＬ３は約０．２５ｍｍ、０．５ｍｍ、又は１ｍｍから約１．５ｍｍ、２ｍｍ、又は３ｍｍであり得る。長さＬ３は、約１０％、０２％、又は３０％から約４０％、１１％、又は６０％、Ｌ２より短い場合があり、それによって、皮膚の伸張を犠牲にせずに、皮膚と接触するシェービングシステム１０のサイズを有効に減少することができる。
【００３１】
図８は、シェービングシステム１００の別の可能な実施形態の斜視図を図示する。シェービングシステム１００は、上述のシェービングシステム１０と同じ又は同様であり得る。例えば、シェービングシステム１００は、ハンドル１１２と、弾力的な皮膚接触部材１２４と、１つ以上の刃１１１を有するハウジング１１０と、を有することができる。しかし、シェービングシステム１００はまた、ハンドル１１２と解放可能に係合する、弾力的な皮膚接触部材１２４と接合されたインターロッキング要素１２６を含むことができる。要素１２６とハンドル１１２との間の接続は、ハンドルの全長に沿ったどこにあってもよい。インターロッキング要素１２６は、ハンドル１１２のキャビティ１３０内に受け入れられるツメ部材１２８として示されているが、例えば米国特許第４，４１３，４１１号、同第４，４４６，６１９号、同第５，７８７，５８６号、同第５，８２２，８６９号、同第５，９５６，８５１号、同第６，０２６，５７７号のような、ハンドルをカートリッジと接続する他の方法も可能である。
【００３２】
シェービングシステム１０は、図９Ａ〜９Ｄに示されているような連続又は準連続成形プロセスを利用して製造され得る。連続成形プロセスは、全ての構成要素をインラインで成形して、完成品を生産する。準連続プロセスは、特定の構成要素を大量成形することと、それらの構成要素を、追加的な成形工程のような後の加工のために保管することと、を含むことができる。成形プロセスは、ハウジング１４を成形する第１のキャビティ２００と、ハンドル１２を成形する第２のキャビティ２０２と、エラストマー部材１６を成形する第３のキャビティ２０４と、を含むことができる。これら３つのキャビティ２００、２０２、及び２０４はそれぞれ１つのみが示されているが、生産の必要に応じて複数のキャビティを使用してもよい。例えば、成形プロセスは、第１、第２、及び第３のキャビティ２００、２０２、及び２０４のそれぞれを１６個以上利用することができる。また、キャビティ２００、２０２、及び２０４の下半分のみが示されているが、キャビティ２００、２０２、及び２０４は、完成部品を形成する上半分及び下半分の両方を有する。
【００３３】
成形プロセスの第１工程は、潤滑ストリップ４０及び１つ以上の刃１１を第１のキャビティ２００内に図９Ａに示されるように配置する工程を含むことができる。これらの構成要素を第１のキャビティ２００に手動で挿入してもよく、あるいは自動的に取り上げて配置するシステムを使用してもよい。キャップ３８は、潤滑ストリップ４０の一部としてキャビティ２００内に挿入してもよく、あるいはプラスチックを第１のキャビティ２００に注入するときに形成してもよい。第１の概して剛性のポリマーを第１のキャビティ２００に注入してハウジング１４を形成し、図９Ｂに示されるように刃１１と潤滑ストリップ４０とを固定することができる。同様の刃サブアセンブリ法は、米国特許第６，８５２，２６２号に記述されている。あるいは、潤滑ストリップ４０は、ハウジング１４が成形された後にシェービングユニット１０に組み立ててもよい。特定の実施形態では、コストを少なくするために、キャップ３８はハウジング１４の一部として成形され、潤滑ストリップ４０を使用しない場合がある。他の実施形態では、潤滑ストリップ４０のための潤滑ポリマー素材を第１のキャビティ２００内でコインジェクション成形することができる。
【００３４】
図９Ｃに示されるように、第２の概して剛性のポリマーを第２のキャビティ２０２に注入して、ハウジング１４から離間しているハンドル１２を形成することができる。第２の概して剛性のポリマーは、第１の概して剛性のポリマーと同じであってよく、両方のポリマーを順次又は連続に各々のキャビティに注入することができる。特定の実施形態では、第１及び第２の概して剛性のポリマーの色及び／又は材料は、様々な美観効果をもたらすために異なっていてもよい。
【００３５】
図９Ｄは、成形プロセスの最終工程を示す。エラストマーのような概して可撓性のポリマーを第３のキャビティ２０４に注入して、弾力的な皮膚接触要素２４がハンドル１２とハウジング１４とを接続してウェットシェービングユニット１０を形成するように、エラストマー部材１６を形成することができる。概して可撓性のポリマーはまた、第３のキャビティ２０４内にハンドル１２の把持部２２を形成することができる。弾力的な皮膚接触要素２４の突出部２６は、ハウジング１４の上面に概して横方向に（すなわち、キャビティ２０４の引きの方向に）配向される。「引きの方向」とは、部品の取り出しのために鋳型が開かれたときの鋳型又はキャビティに対する部品表面の動きを指す。複数の突出部２６の配向は、プラスチック部品からの鋳型半体（キャビティ）の分離を促進することができ、アンダーカットを生成する鋳型キャビティからの障害物なしにシェービングシステム１０を鋳型キャビティから取り出すことを可能にする。
【００３６】
上に例示した様々な工程は任意の順序で実施できると理解される。特定の実施形態では、ハウジング１４へのキャップ及び／又は潤滑ストリップ４０の組み立てを大量に行い、後の加工（例えば、エラストマー部材１６及びハンドル１２をハウジングに成形すること）のために保管することができる。別の可能な実施形態は、ハンドル１２及びハウジング１４を大量生産すること、ハンドル１２及びハウジング１４を鋳型の１つ以上のキャビティに配置すること、及びその後に、弾力的な皮膚接触要素２４がハンドル１２とハウジング１４とを接続するように、可撓性ポリマーをキャビティ内に注入してエラストマー部材１６を形成すること、を含むことができる。所望により、後の工程で潤滑ストリップをハウジングに組み込むことができる。この方法は、様々な構成要素を同時に成形及び組み立てすることを可能にし、構成要素を大量に成形し、後の加工のために保管、及び／又は出荷することもまた可能にすることによって、製造工程でフレキシビリティを創出する。
【００３７】
ハウジング１４及びハンドル１２は、ポリプロピレン、アクリロニトリルブタジエンスチレン、又はＮｏｒｙｌ（商標）（Ｇｅｎｅｒａｌ  Ｅｌｅｃｔｒｉｃ  Ｐｌａｓｔｉｃｓ（現在のＳＡＢＩＣ  Ｉｎｎｏｖａｔｉｖｅ  Ｐｌａｓｔｉｃｓ）が開発したポリフェニレンオキシド（ＰＰＯ）とポリスチレンとの配合物）のような慨して剛性のポリマーから製造することができる。ハウジング１４及びハンドル１２はまた、約５０、６０、又は７０から約９０、１１０、又は１２０のＳｈｏｒｅ  Ａ硬度を有する他の半剛性ポリマーから成形することもできる。ハウジング１４及びハンドル１２は、インサートインジェクション成形又はコインジェクション成形して、弾力的な皮膚接触要素２４にすることができる。接着剤、超音波溶接、又は機械的締結具のような他の既知のアセンブリ方法もまた使用することができる。
【００３８】
エラストマー部材１６（例えば、弾力的な皮膚接触要素２４、首部６２、及び把持部２２）は、ハウジング１４及びハンドル１２より軟らかい材料で製造され得る。例えば、エラストマー部材１６（例えば、弾力的な皮膚接触要素２４、首部６２、及び把持部２２）は、約２０、３０、又は４０から約５０、６０、又は７０のＳｈｏｒｅ  Ａ硬度を有することができる。エラストマー部材１６は、熱可塑性エラストマー（ＴＰＥ）又はゴムで作製され得、例としては、シリコン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えばＫｒａｔｏｎ）、ポリエステルＴＰＥ（例えばＨｙｔｒｅｌ）、ポリアミドＴＰＥ（Ｐｅｂａｘ）、ポリウレタンＴＰＥ、ポリオレフィン系ＴＰＥ、及びこれらのＴＰＥの任意の配合物（例えば、ポリエステル／ＳＥＢＳ配合物）が挙げられるが、これらに限定されない。特定の実施形態では、エラストマー部材１６は、ＧＬＳ  Ｃｏｒｐ．（ＰｏｌｙＯｎｅ事業の１つ）からの熱可塑性エラストマー化合物であるＤｙｎａｆｌｅｘ（登録商標）Ｇ６７３０を含むことができる。エラストマー部材１６は、弾力的な皮膚接触要素２４の機能のために十分な可撓性を提供する他のエラストマー材料を含んでもよい。そのような材料は、約３００％、５００％、又は７００％から約８００％、１０００％、又は１３００％（ＡＳＴＭ  Ｄ４１２−Ｄｉｅ  Ｃ、２時間、２３℃）の破断点伸びを有することができる。より軟らかい材料は、皮膚の伸張を補助すること、剃毛中の使用者の皮膚に対してより心地よい触感を提供すること、及びハウジング１４を旋回するために必要な力を減少すること、ができる。より軟らかい材料はまた、剃毛中に使用者の皮膚に当たるハウジング１４及び刃１１のより硬い材料のさほど心地よくない感覚を感じ難くするのを補助する。
【００３９】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。曖昧さを避けるための努力として、本開示の目的のために、用語「部又は部分（portion）」は、約４５％未満を意味すると解釈されるべきである。例えば、用語「遠位端部」とは、参照される要素の末端から、０％、５％、１０％、１５％から１５％、２０％、２５％、３０％、４０％、又は４５％と解釈されるべきである。同様に、用語「近位端部」とは、参照される要素の、その末端の反対の端から、約０％、５％、１０％、又は１５％から約１５％、２０％、２５％、３０％、４０％、又は４５％と解釈されるべきである。
【００４０】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００４１】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の書類名特許請求の範囲で扱うものとする。
【図１】
2012505730.tif 000003
【図２】
2012505730.tif 000004
【図３Ａ】
2012505730.tif 000005
【図３Ｂ】
2012505730.tif 000006
【図３Ｃ】
2012505730.tif 000007
【図４】
2012505730.tif 000008
【図５】
2012505730.tif 000009
【図６】
2012505730.tif 000010
【図７Ａ】
2012505730.tif 000011
【図７Ｂ】
2012505730.tif 000012
【図８】
2012505730.tif 000013
【図９Ａ】
2012505730.tif 000014
【図９Ｂ】
2012505730.tif 000015
【図９Ｃ】
2012505730.tif 000016
【図９Ｄ】
2012505730.tif 000017
【国際調査報告】
2012505730.tif 000018
2012505730.tif 000019